(57)【要約】      （修正有）【課題】ハンカチーフやリボン等の布片を使って容易に花形飾りなどの装飾体を作り、衣服や、贈答品の包装紐等に簡単に取り付け、装飾することができるゴム輪付きクリップを提供することを課題とする。【解決手段】ゴム輪付きクリップ１の把持部２の背軸中央に複数個のゴム輪４を集合して配設し、そのゴム輪４の中にハンカチーフやリボン等の布片を通し、結節することによって、花形飾りなどの装飾体Ａを形成できるようにした。衣服に挟み留める把持部２には、衣服を傷めないように薄いフェルト状の布地３を貼着した。【選択図】図１
0003117854.tif 000002
【実用新案登録請求の範囲】
【請求項１】
複数個からなるゴム輪（４）を把持部（２）の背軸中央の一個所に集合して配設したことを特徴とするゴム輪付きクリップ（１）
【請求項２】
前記把持部（２）に薄いフェルト状の布地（３）を貼着したことを特徴とするゴム輪付きクリップ（１）
【考案の詳細な説明】
【技術分野】
【０００１】  本考案は、把持部２の背軸中央に複数個のゴム輪４を集合して配設し、そのゴム輪４に布片１２を挟み込み、結節して花形飾り等の装飾体Ａを作成し、衣服６等に装着して使用する、ゴム輪付きクリップ１に関するものである。
【背景技術】
【０００２】  従来技術には、略梅鉢状の紐帯が付いていて、その紐帯に布片を挟んで装飾体を作成するものがある。（特許文献１及び特許文献２を参照）、または、予め装飾体の花弁が形成してあり、その中央に設けた穴を介して衣服に着脱するものがある（特許文献３を参照）。
【特許文献１】実用新案登録第３０４３３１１号公報、
【特許文献２】実開平７−９１１１公報
【特許文献３】実用新案登録第３０８６１６５号公報
【考案の開示】
【考案が解決しようとする課題】
【０００３】  前記特許文献１及び特許文献２のように、初めから略梅鉢状の紐帯の付いたものは使用態様、使用目的に自由さがなく、また、背面側に取り付けられた留め金具での衣服等への着脱は容易ではなかった。そして、特許文献３のように、初めから花弁が形成されたものは、その使用目的、使用効果は極めて制限されるものであった。【０００４】  本考案は、把持部２の背軸中央部に付いた複数個のゴム輪４に、布片１２を通し、挟み込み結節し、種種の形態、花形飾りやリボン結び等の創作性に富んだ多様の装飾体Ａを形成することができ、また、衣服６等への着脱が容易で、取り付け先の衣服６等を傷めない把持部２を持つ、ゴム輪付きクリップ１を提供することを目的とするものである。
【課題を解決するための手段】
【０００５】  そこで、前記目的を達成するために、請求項１の考案は、複数個からなるゴム輪４を背軸中央の一個所に集合して配設したことを特徴とする、ゴム輪付きクリップ１とした。【０００６】  そして、請求項２の考案は、前記把持部２に薄いフェルト状の布地３を貼着したことを特徴とする、ゴム輪付きクリップ１とした。
【考案の効果】
【０００７】  請求項１の考案は、前記構成としたことにより、ハンカチーフ等の布片１２の一種類又は多種類を用いて、自由な発想で自由な形態に作成し、それを衣服６や贈答品７等に装着するための装飾体Ａを形成することができるという効果を奏する。【０００８】  請求項２の考案は、前記構成としたことにより、前記装飾体Ａを衣服６等に装着する際に、衣服６を傷めないという効果を奏する。
【考案を実施するための最良の形態】
【０００９】  次に本考案を実施するための最良の形態を図面に沿って説明する。図１乃至図２は、本考案のゴム輪付きクリップ１の全体を現す斜視図及び正面図を示したものであり、把持部２とレバー５からなるクリップ状を形成し、把持部２の背軸中央に複数個のゴム輪４を配設したものである。【００１０】  把持部２の先端部分には薄いフェルト状の布地３を貼着しているが、それは前記把持部２によって衣服６等に花形飾り等の装飾体Ａを固定したとき、または、スカーフの合わせ目等を装飾体Ａで飾ったゴム輪付きクリップ１によって接合したとき、布地を傷めるようなことがないからであり、また、薄いフェルト状の布地３を把持部に貼着すると述べているが、織布でもよく、また、合成樹脂地でもよく、衣服６等の対象物に取り付けた場合の滑り落ち防止のためには摩擦係数のあるものがよい。図１乃至図２には、先端部分の僅かの部分にのみフェルト状の布地３を貼着しているが、把持部２全体に貼着してもよいことは勿論である。【００１１】  図１乃至図２に示すように、把持部２の中央の上方に複数のゴム輪４が集合して配設されており、このゴム輪４にハンカチーフやリボン等の布片１２をつまみ込んでは引き出し、ゴム輪４を絡めて結節し立体的な花形飾り等の装飾体Ａを形成する。【００１２】  図３に示した実施の形態は、前記複数のゴム輪４に、一種類又は多種類のハンカチーフや布片１２をつまみ込んでは引き出し、コサージュ状の装飾体Ａを作成した一実施形態を示したものであり、ある時は左右対称に、ある時はランダムに形成し（図９参照）、色彩効果及び色数も自由であり、これらの係止及び結節にはゴム輪４を使うことから、その作業は極めて自由であり手軽に行える。【００１３】  図４に示した実施の形態は、衣服６の胸にコサージュ状の装飾体Ａを本考案のゴム輪付きクリップ１を用いて装着した一実施形態である。正式なパーティでなければ、ハンカチーフやリボン等の布片１２で簡単に胸飾りの装飾体Ａを作って飾るのも興趣がある。【００１４】  図５に示した実施の形態は、贈答品７の包装箱にリボンの花形飾りの装飾体Ａを本考案のゴム輪付きクリップ１を用いて紐の部分に装着した一実施形態である。単純な包装に装飾体Ａを取り付けることによって、贈答品に贈り主の心情をよりよく表現できるものであり、前記装飾体Ａはリボン等で作製してもよく、又は既成品をうまく利用してもよいことは勿論である。【００１５】  図６に示した実施の形態は、雨の日に集会に参加して雨傘８を傘置き場に載置する際、他人の雨傘８と混同しないように、花形飾りの装飾体Ａを目印となるよう、本考案のゴム輪付きクリップ１を用いて、雨傘８の柄の付け根部分に装着した形態を表すものである。【００１６】  図７に示した実施の形態は、本考案のゴム輪付きクリップ１を２個用い、三角に二つ折りしたスカーフ９の左右の端に花形飾りの装飾体Ａを形成し、衣服６に取り付けた一実施形態である。【００１７】  図８に示した実施の形態は、女性の後頭部の髪１０に本考案のゴム輪付きクリップ１を用いて花形飾りの装飾体Ａを装着した一実施形態である。【００１８】  図９に示した実施の形態は、本考案のゴム輪付きクリップ１を用いて、布片１２をゴム輪４で挟み結���し、非対称的な花形飾りの装飾体Ａを形成した一実施形態である。
【図面の簡単な説明】
【００１９】
【図１】本考案のゴム輪付きクリップ１の斜視図である。
【図２】本考案のゴム輪付きクリップ１の正面図である。
【図３】本考案のゴム輪付きクリップ１に花形飾りの装飾体Ａを装備した図を示す。
【図４】本考案のゴム輪付きクリップ１を用いて、衣服６の胸にコサージュとしての装飾体Ａを装着した図を示す。
【図５】本考案のゴム輪付きクリップ１を用いて、贈答品７の包装紐に花形飾りの装飾体Ａを装着した図を示す。
【図６】本考案のゴム輪付きクリップ１を用いて、雨傘８の目印としての花形飾りの装飾体Ａを装着した図を示す。
【図７】本考案のゴム輪付きクリップ１を用いて、装飾として胸に垂らしたスカーフ９の両端に衣服６との留め具を兼ね花形飾りの装飾体Ａを形成した図を示す。
【図８】本考案のゴム輪付きクリップ１を用いて、髪飾りとしての花形飾りの装飾体Ａを装着した図を示す。
【図９】本考案のゴム輪付きクリップ１を用いて、非対称な花形飾りの装飾体Ａを形成した図を示す。
【符号の説明】
【００２０】Ａ    装飾体
１    ゴム輪付きクリップ
２    把持部
３    フェルト状の布地
４    ゴム輪
５    レバー
６    衣服
７    贈答品
８    雨傘
９    スカーフ
１０  髪
１１  頭部
１２  布片
【図１】
0003117854.tif 000003
【図２】
0003117854.tif 000004
【図３】
0003117854.tif 000005
【図４】
0003117854.tif 000006
【図５】
0003117854.tif 000007
【図６】
0003117854.tif 000008
【図７】
0003117854.tif 000009
【図８】
0003117854.tif 000010
【図９】
0003117854.tif 000011
【手続補正書】
【提出日】平成17年9月23日(2005.9.23)
【手続補正１】
【補正対象書類名】実用新案登録請求の範囲
【補正対象項目名】全文
【補正方法】変更
【補正の内容】
【実用新案登録請求の範囲】
【請求項１】
挟み留め具である把持部（２）を設け、その把持部（２）の背軸中央に装飾体（Ａ）を装着するための複数個のゴム輪（４）を配設したことを特徴とするゴム輪付きクリップ（１）。
【請求項２】
前記把持部（２）に摩擦係数を高めるための薄いフェルト状の布地（３）を貼着したことを特徴とする、請求項１に記載のゴム輪付きクリップ（１）。
【手続補正２】
【補正対象書類名】明細書
【補正対象項目名】０００５
【補正方法】変更
【補正の内容】
【０００５】  そこで、前記目的を達成するために、請求項１の考案は、挟み留め具である把持部２を設け、その把持部２の背軸中央に装飾体Ａを装着するための複数個のゴム輪４を配設したことを特徴とするゴム輪付きクリップ１としたものである。
【手続補正３】
【補正対象書類名】明細書
【補正対象項目名】０００６
【補正方法】変更
【補正の内容】
【０００６】  請求項２の考案は、前記把持部２に摩擦係数を高めるための薄いフェルト状の布地３を貼着したことを特徴とする、請求項１に記載のゴム輪付きクリップ１としたものである。
【手続補正３】
【補正対象書類名】図面
【補正対象項目名】図１
【補正方法】変更
【補正の内容】
【図１】
0003117854.tif 000012